(57)【特許請求の範囲】
【請求項１】
回転自在に支持され、円筒形状のスクリ−ンを有した円筒形状のスクリ−ンと、
この円筒形状のスクリ−ンの内方に設けられ、白水を前記円筒形状のスクリ−ンに供給する白水供給通路と、
前記円筒形状のスクリ−ンを洗浄する水を供給する水供給通路と、
前記円筒形状のスクリ−ンの下方に位置し、前記円筒形状のスクリ−ンを通過した水を排水する排水部材と、
前記円筒形状のスクリ−ンの内面に残存した前記白水中の繊維を前記円筒形状のスクリ−ンの外へ導くために前記円筒形状のスクリ−ンの一方の端面を開放して前記繊維を排出する繊維排出部とを備え、
前記円筒形状のスクリ−ンは、網目を有した円筒形状の網と、この網の外側に位置し、前記網を支持する網支持体とからなり、
前記網は前記網支持体に固着され、
前記網支持体は棒状部材を間隔を設けて並設して形成されるもので、前記網を通過してくる水の入口が広くなるように、隣接する前記棒状部材の断面形状が先細りになるように傾斜している
ことを特徴とする白水処理装置。
【請求項２】
円筒形状のスクリ−ンを内在して支持すると共に、回転自在に支持された回転支持体と、
前記回転支持体は略円筒形状をなし、前記回転支持体の一方の端面は開放されて前記円筒形状のスクリ−ンを出し入れする出し入れ部、前記回転支持体の胴部には開口部を有し、前記出し入れ部の開放面と繊維排出部の開放面とは、同じ側であり、
前記円筒形状のスクリ−ンを前記回転支持体に着脱自在に取り付ける取り付け部材と    を備えていることを特徴とする請求項１記載の白水処理装置。
【発明の詳細な説明】
【０００１】
本発明は、白水処理装置に係り、特に、白水処理の能力の増大を図ることができる白水処理装置に関する。
【０００２】
【従来の技術】
従来、白水処理装置においては、開口部を備えた円筒ドラムの内壁面に金網を取り付け、該金網に抄紙機等から排出される水、繊維を含んで白く見える所謂「白水」を吹き付け、白水中の水は前記開口部を通過し、白水中の繊維は前記開口部を通過させないようにして白水より繊維を分離し、回収している。
【０００３】
【発明が解決しようとする課題】
しかしながら、従来の白水処理装置においては、開口部を備えた円筒ドラムの内壁面に金網が取り付けられている関係上、濾過面積は円筒ドラムの開口部に影響され、該開口部を広く取ろうとすれば、円筒ドラムの強度が弱くなってしまい、結局円筒ドラムの開口部を広くとれず、濾過面積が減少して、白水処理の能力の増大を図ることができないという問題点が生じた。
本発明は、上述した問題点を除去するようにした白水処理装置を提供するものである。
【０００４】
【課題を解決するための手段】
上記目的を達成するために、請求項１記載の白水処理装置は、回転自在に支持され、円筒形状のスクリ−ンを有した円筒形状のスクリ−ンと、この円筒形状のスクリ−ンの内方に設けられ、白水を前記円筒形状のスクリ−ンに供給する白水供給通路と、前記円筒形状のスクリ−ンを洗浄する水を供給する水供給通路と、前記円筒形状のスクリ−ンの下方に位置し、前記円筒形状のスクリ−ンを通過した水を排水する排水部材と、前記円筒形状のスクリ−ンの内面に残存した前記白水中の繊維を前記円筒形状のスクリ−ンの外へ導くために前記円筒形状のスクリ−ンの一方の端面を開放して前記繊維を排出する繊維排出部とを備え、前記円筒形状のスクリ−ンは、網目を有した円筒形状の網と、この網の外側に位置し、前記網を支持する網支持体とからなり、前記網は前記網支持体に固着され、前記網支持体は棒状部材を間隔を設けて並設して形成されるもので、前記網を通過してくる水の入口が広くなるように、隣接する前記棒状部材の断面形状が先細りになるように傾斜している。
【０００６】
また、請求項２記載の白水処理装置は、請求項１記載の白水処理装置において、円筒形状のスクリ−ンを内在して支持すると共に、回転自在に支持された回転支持体と、前記回転支持体は略円筒形状をなし、前記回転支持体の一方の端面は開放されて前記円筒形状のスクリ−ンを出し入れする出し入れ部、前記回転支持体の胴部には開口部を有し、前記出し入れ部の開放面と繊維排出部の開放面とは、同じ側であり、前記円筒形状のスクリ−ンを前記回転支持体に着脱自在に取り付ける取り付け部材とを備えている。
【０００７】
【実施例】
本発明の一実施例の白水処理装置を図面を参照して説明する。
図１乃至図８において、１は白水より繊維を回収する白水処理装置で、白水処理装置１は、概略的に、円筒形状のスクリ−ン２を内在した回転支持体３と、回転支持体３内に設けられた白水供給通路４、水供給通路５、水を排水する排水部材６、排出された繊維Ｆを受け入れる繊維受け入れ部７とから構成されている（図１及び図２参照）。
【０００８】
円筒形状のスクリ−ン２は回転自在に支持された円筒形状のスクリ−ンで、円筒形状のスクリ−ン２は、図３乃至図８に示すように、網目を有した円筒形状の網２１と、この網２１の外側に位置し、網２１を支持する網支持体２２とからなり、網２１は、例えば、ステンレスの微細な金網で、網２１は、網支持体２２に固着（固着は、例えば、ハンダ、スポット溶接である。）されている。
【０００９】
網支持体２２は棒状部材ｂを間隔（スリット）を設けて並設して形成されるもので、網２１を通過してくる水の入口が広くなるように、隣接する棒状部材ｂの断面形状が先細りになるように傾斜している（図７、図８の棒状部材ｂの傾斜面ｂ１  、ｂ２  参照）。なお、棒状部材ｂは先端及び後端が互いに先細りとなる形状をし、棒状部材ｂはリング状の支持棒ｃに固着（固着は、例えば、ハンダ、スポット溶接である。）されて支持されている。そして、円筒形状のスクリ−ン２の一方の端面は開放され、繊維Ｆを排出する繊維排出部２ａとなっており、円筒形状のスクリ−ン２の内面に残存した白水中の繊維Ｆを円筒形状のスクリ−ン２の外へ導くようにしている。
【００１０】
回転支持体３は、円筒形状のスクリ−ン２を内在して支持すると共に、回転自在に支持されている。円筒形状のスクリ−ン２は取り付け部材、例えば、断面Ｌ字状のリングＬを回転支持体３にボルトＢで着脱自在に取り付けられている。なお、本実施例では、回転支持体３の閉塞された端面の板３３に円筒形状のスクリ−ン２を当接し、取り付け部材（リングＬ）をストッパ−として作用させているが、図９及び図１０に示すように、取り付け部材（リングＬ）を円筒形状のスクリ−ン２の網２１に当接させ、ボルトＢ、ナットＮで回転支持体３に着脱自在に取り付けるようにしても良い。
【００１１】
また、回転支持体３は略円筒形状をなした荒目の開口部３ｂを持つ骨組構造体で、内部に収納する円筒形状のスクリ−ン２を保持する役割を有し、回転支持体３の一方の端面は開放されて円筒形状のスクリ−ン２を出し入れする出し入れ部３ａ、回転支持体３の胴部には複数の開口部３ｂを有し、出し入れ部３ａの開放面と繊維排出部２ａの開放面とは、同じ側となっている。
【００１２】
また、図１において、８、８はベ−ス９に取り付けられた支持部材で、支持部材８、８は軸受け１０、１０を支持し、軸受け１０、１０はモ−タ１１の駆動により回転する回転支持体３の回転軸３１を支持するようになっている。回転支持体３は片持ちで支持しても良いが、望ましくは、モ−タ１１より遠い側をベルト３２で支えるようにしている。また、９１、９１はジャッキボルトで、円筒形状のスクリ−ン２の開放面が繊維受け入れ部７に向かうようにベ−ス９を傾斜させている。
【００１３】
白水供給通路４は、円筒形状のスクリ−ン２の内方に設けられ、白水を円筒形状のスクリ−ン２に供給するようにしている。白水供給通路４の先端は円筒形状のスクリ−ン２に臨む（白水供給通路４の先端は、より望ましくは、図６に示すように、網２１の内周面に沿って噴射するようにする。）と共に、開口した開口部４ａを有し、この開口部４ａは開口面積を可変になるように構成されている。開口部４ａの開口面積は、開口部４ａの一を構成する構成片４ａ１  を移動させることにより行うもので、移動手段は、例えば、エアシリンダ−４ａ２  である。
【００１４】
また、上述した水供給通路５は、円筒形状のスクリ−ン２を洗浄する水を供給する通路で、具体的には、複数の穴５１を開けたパイプで、排水部材６は円筒形状のスクリ−ン２の下方に位置して、円筒形状のスクリ−ン２を通過した水を排水するものである。
【００１５】
従って、モ−タ１１の回転により回転する円筒形状のスクリ−ン２へ白水供給通路４より白水が、水供給通路５より水がそれぞれ供給されると、白水（懸濁液）は網２１の内周面に沿って落下し、白水中の水は網２１を通過し、白水中の繊維Ｆは網２１を通過できず、円筒形状のスクリ−ン２の内面に残存し、図６に示すように集束する。
【００１６】
特に、隣接する棒状部材ｂの断面形状が先細りになるように傾斜し（図７、図８の棒状部材ｂの傾斜面ｂ１  、ｂ２  参照）、網２１と網支持体２２との接触部分が少ない分濾過面積を拡大できるため、網２１を通過してくる水の量が増加し、白水処理の能力の増大を図ることができる。
更に、回転支持体３は回転（例えば、周速１．５ｍ／ｓ）により発生する遠心力により脱水は加速されると共に、図７に示す棒状部材ｂの傾斜面ｂ３  、ｂ４  の間のスペ−スＰに低圧ポケットが生じて吸引性が増し、脱水力が強化される。
また、円筒形状のスクリ−ン２に臨む開口部４ａが開口面積を可変になるように構成されているため、白水中に含まれる灰分の割合に応じて開口部４ａの開口面積を可変することができる。
つまり、白水中に含まれる灰分が多く、灰分を多く除去したい時には、エアシリンダ−４ａ２  のロッドを前進させて構成片４ａ１  を実線の位置にし、開口部４ａの開口面積を小さく（開口面積Ａ１  ）して開口部４ａよりの吐出圧を大として、より多くの灰分を網２１を介して通過させる。また、逆に、白水中に含まれる灰分が少ない場合、エアシリンダ−４ａ２  のロッドを後退させて構成片４ａ１  を破線の位置にし、前述の開口部４ａの開口面積を大きく（開口面積Ａ２  、Ａ２  ＞Ａ１  ）して開口部４ａよりの吐出圧を小とし、灰分を網２１を介して通過させる。このように白水の吐出圧力を調整して適宜の灰分をスクリ−ン２を介して排水させ、白水処理の能力の増大を図るようにしている。
【００１７】
なお、円筒形状のスクリ−ン２の内面に残存した繊維Ｆは、円筒形状のスクリ−ン２の開放面が繊維受け入れ部７に向かうように傾斜しているため、円筒形状のスクリ−ン２の開放面から排出され、繊維受け入れ部７へと受け入れられることとなる。繊維受け入れ部７で受け入れられた繊維Ｆは、ポンプ７１により他の工程へと搬送される。
また、円筒形状のスクリ−ン２を交換する場合（目的に合った円筒形状のスクリ−ン２に交換する場合、円筒形状のスクリ−ン２を修理する場合）には、取り付け部材（例えば、Ｌ字状のリングＬ、ボルトＢ）を外して、円筒形状のスクリ−ン２を回転支持体３からスライドさせることにより、回転支持体２を取り外すことなく取り付け部材（例えば、Ｌ字状のリングＬ、ボルトＢ）を外すことにより出し入れ部３ａを介して円筒形状のスクリ−ン２を容易に取り外すことができ、円筒形状のスクリ−ン２を容易に交換することができる。
【００１８】
【発明の効果】
請求項１記載の白水処理装置によれば、隣接する棒状部材の断面形状が先細りになるように傾斜し、網と網支持体との接触部分が少ない分濾過面積を拡大できるため、網を通過してくる水の量が増加し、白水処理の能力の増大を図ることができる。
【００２０】
請求項２記載の白水処理装置によれば、回転支持体を取り外すことなく取り付け部材を外すことにより出し入れ部を介して網支持体を容易に取り外すことができ、網支持体を容易に交換することができる。
【図面の簡単な説明】
【図１】図１は、本発明の一実施例の白水処理装置の概略的正面図である。
【図２】図２は、図１の白水処理装置の概略的側面図である。
【図３】図３は、図２の円筒形状のスクリ−ンを内蔵した回転支持体の概略的一部拡大側面図である。
【図４】図４は、円筒形状のスクリ−ンを内蔵した回転支持体の概略的一部断面図である。
【図５】図５は、図２の円筒形状のスクリ−ンを内蔵した回転支持体を分解して示すの概略的分解斜視図である。
【図６】図６は、白水供給通路の先端の開口部を可変する状態を説明するための、概略的断面図である。
【図７】図７は、図６の円筒形状のスクリ−ンの概略的一部拡大断面図である。
【図８】図８は、図６の円筒形状のスクリ−ンの概略的一部拡大斜視図である。
【図９】図９は、図４記載の円筒形状のスクリ−ンの支持形態を異にする他の実施例を示す概略的一部断面図である。
【図１０】図１０は、図９の概略的断面図である。
【符号の説明】
２        円筒形状のスクリ−ン
ｂ        棒状部材
【図１】
0003563661.tif 000002
【図２】
0003563661.tif 000003
【図３】
0003563661.tif 000004
【図４】
0003563661.tif 000005
【図５】
0003563661.tif 000006
【図６】
0003563661.tif 000007
【図７】
0003563661.tif 000008
【図８】
0003563661.tif 000009
【図９】
0003563661.tif 000010
【図１０】
0003563661.tif 000011